(57)【特許請求の範囲】
【請求項１】
芝の植え込み領域とアスファルト舗装領域とを仕切る見切材であって、
この見切材が、
土壌に埋め込まれて前記二つの領域を仕切る二枚以上の長尺の金属製プレート体と、
隣り合うプレート体を上下方向に沿った接合端を他方のプレート体の接合端に突き合わせるようにして接合させる接合手段とを有しており、
この接合手段が、接合用被差込部と接合用差込部材とからなり、
接合用被差込部は、プレート体の接合端側に形成されると共に、上下で開放され、かつ、左右に上下方向に沿った内壁を備えており、
接合用差込部材は、上部連結体の下部に、隣り合うプレート体の双方の接合用被差込部にそれぞれ上方から差し込まれる一対の脚部を一体に備えて構成されており、
少なくともこの一対の脚部の一方における上下方向にある縁部であって他方の脚部側にある縁部が、上方に向かうに連れて他方の脚部側に近付くように傾斜した傾斜縁部を有していることを特徴とする芝生の見切材。
【請求項２】
プレート体が、上下で開放され、かつ、左右に上下方向に沿った内壁を備えた固定用差込部を有していると共に、
この固定用差込部に上方から差し込まれて地盤に打ち込まれるアンカー体を有していることを特徴とする請求項１記載の芝生の見切材。
【請求項３】
接合用差込部材を構成する脚部が地盤に打ち込まれる長さに構成してあることを特徴とする請求項１又は請求項２記載の芝生の見切材。
【請求項４】
プレート体の上下縁部がそれぞれ、この上下縁部にパイプ状部を有するように、丸め加工されていると共に、
隣り合うプレート体の接合端において、隣り合うプレート体の一方のパイプ状部に一端側を入れ込ませ、かつ、隣り合うプレート体の他方のパイプ状部に他端側を入れ込ませて、隣り合うプレート体相互を連結させる連結棒状体を有していることを特徴とする請求項１、請求項２又は請求項３記載の芝生の見切材。
【発明の詳細な説明】
【０００１】
【発明の属する技術分野】
この発明は、芝の植え込み領域側からアスファルト舗装領域側への芝の根の入り込みなどを生じさせないように、両領域を見切るために用いられる芝生の見切材の改良に関する。
【０００２】
【従来の技術】
道路や通路などを構成するアスファルト舗装領域と、芝の植え込み領域とを隣り合わせて設けさせるにあたって、芝の植え込み領域側からアスファルト舗装領域側への芝の根の侵入などを防止するなどの目的から、両領域を見切ることが要請される。
【０００３】
こうした場合に、たとえば、公開実用新案公報所載の実開平６−７４６０９に示される舗装留め仕切り板装置を利用することが可能である。
【０００４】
かかる仕切り板装置は、複数の仕切り板と、この仕切り板を地盤に固定するアンカーとから構成されている。
【０００５】
また、かかる仕切り板装置にあっては、隣り合う仕切り板の一方に一端を固定された連結片と、隣り合う仕切り板の他方に一端を固定された連結片とで、それぞれ形成されると共に、隣り合う仕切り板の接合端同士を突き合わせた状態で上下に重なり合う挿入路に、前記アンカーを上方から入れ込み、これにより、隣り合う仕切り板を連結させ合わせるようにしている。
【０００６】
【発明が解決しようとする課題】
しかるに、かかる仕切り板装置にあっては、前記連結片の挿入部へのアンカーの単純な入れ込みによって、隣り合う仕切り板同士を連結させるにとどまるものであるため、隣り合う仕切り板の接合縁同士を隙間なく密着させ難いものであった。
【０００７】
このため、かかる仕切り板装置をアスファルト舗装領域と芝の植え込み領域との見切りにそのまま用いた場合、前記隣り合う仕切り板の接合縁間からの芝の根のアスファルト舗装領域側への入り込みを経時的に生じさせてしまうことが少なからず予想される。
【０００８】
そこで、この発明は、この種の見切材において、隣り合う金属製プレート体の接合縁同士を芝の根の入り込みを生じさせないように密着させた状態で、複数のプレート体を適切に連結させ合わせるようにすることを主たる目的とする。
【０００９】
【課題を解決するための手段】
前記目的を達成するために、請求項１記載の発明にあっては、芝生の見切材を、芝の植え込み領域とアスファルト舗装領域とを仕切る見切材であって、この見切材が、土壌に埋め込まれて前記二つの領域を仕切る二枚以上の長尺の金属製プレート体と、隣り合うプレート体を上下方向に沿った接合端を他方のプレート体の接合端に突き合わせるようにして接合させる接合手段とを有しており、この接合手段が、プレート体の接合端側に形成されると共に、上下で開放され、かつ、左右に上下方向に沿った内壁を備えた接合用被差込部と、上部連結体の下部に隣り合うプレート体の双方の接合用被差込部にそれぞれ上方から差し込まれる一対の脚部を一体に備えた接合用差込部材とから構成されており、少なくともこの一対の脚部の一方における上下方向にある縁部であって他方の脚部側にある縁部が、上方に向かうに連れて他方の脚部側に近付くように傾斜した傾斜縁部を有している構成とした。
【００１０】
かかる構成によれば、隣り合うプレート体を互いに接合端を突き合わせるようにそれぞれの下端部を地盤に打ち込ませた後、隣り合うプレート体の一方の接合用被差込部に接合用差込部材の脚部の一方を上方から入れ込み、かつ、隣り合うプレート体の他方の接合用被差込部にこの接合用差込部材の脚部の他方を上方から入れ込ませ、この状態からこの接合用差込部材を下方に押し込むことによって、前記接合用被差込部の上下方向に沿った内壁に摺接される脚部の傾斜状縁部により隣り合うプレート体の接合端を引き寄せ合わせて密着させることができる。
【００１１】
この結果、隣り合うプレート体の接合端間を通じたアスファルト舗装領域側への芝の植え込み領域側からの芝の根の入り込みをできる限り生じさせない状態での複数のプレート体の設置をなすことができる。
【００１２】
また、この見切材を構成するプレート体は、金属製であることから、アスファルト舗装時における熱によって、溶融変形などを生ずることがなく、前記両領域の見切を適切になすことができる。
【００１３】
また、この見切材を構成するプレート体は金属製とされていることから、プレート体の一面側を湾曲内側とするように湾曲変形させた状態で前記両領域を見切るように設置させることができ、これにより、たとえば、道路などのカーブ部分などにおけるアスファルト舗装領域と芝の植え込み領域との見切にも支障なく用いることができる。
【００１４】
また、請求項２記載の発明にあっては、芝生の見切材を、プレート体が、上下で開放され、かつ、左右に上下方向に沿った内壁を備えた固定用差込部を有していると共に、この固定用差込部に上方から差し込まれて地盤に打ち込まれるアンカー体を有している構成とした。
【００１５】
かかる構成によれば、このアンカー体の地盤への打ち込みを通じて、プレート体を地盤にしっかりと固定することができる。
【００１６】
また、請求項３記載の発明にあっては、請求項１又は請求項２記載の芝生の見切材がさらに、接合用差込部材を構成する脚部が地盤に打ち込まれる長さに構成されていることを特徴としている。
【００１７】
かかる構成によれば、前記アンカー体だけでなく接合用差込部材によっても金属製プレート体を地盤にしっかりと固定することができる。
【００１８】
また、請求項４記載の発明にあっては、請求項１、請求項２又は請求項３記載の芝生の見切材がさらに、プレート体の上下縁部がそれぞれ、この上下縁部にパイプ状部を有するように、丸め加工されていると共に、隣り合うプレート体の接合端において、隣り合うプレート体の一方のパイプ状部に一端側を入れ込ませ、かつ、隣り合うプレート体の他方のパイプ状部に他端側を入れ込ませて、隣り合うプレート体相互を連結させる連結棒状体を有していることを特徴としている。
【００１９】
かかる構成によれば、前記のように形成されるパイプ状部によってプレート体の上下縁部にアール面を形成させてこのプレート体の設置作業時におけるこのプレート体の掴み持ちや取り回しを行いやすくすることができると共に、プレート体自体の剛性を高めることができる。また、プレート体の湾曲施工時においては、所望の円弧に沿って歪みなくプレート体を湾曲させやすくできる。
【００２０】
また、前記のように隣り合うプレート体の接合端において隣り合うプレート体のそれぞれのパイプ状部に入れ込まれる連結棒状体によって、隣り合うプレート体の接合端同士が上下に位置づれして接合されたり、前後に位置づれして接合されたりしないようにすることができると共に、この連結棒状体の支持により、このように接合し合わされる接合端部分を含んで全体として歪みなくプレート体を湾曲状態で設置することができる。
【００２１】
【発明の実施の形態】
以下、図１ないし図１７に基づいて、この発明の典型的な実施の形態について説明する。
【００２２】
なお、ここで図１は、この実施の形態にかかる金属製プレート体１０を表したものであり、図２は、かかる金属製プレート体１０を図１における右側より見て表したものである。また、図３は、このプレート体１０の接合用被差込部２１の形成箇所をこのプレート体１０の長さ方向に沿って断面にして表しており、また、図４は、この接合用被差込部２１の形成箇所を拡大して示している。また、図５は、隣り合うプレート体１０の接合端１４同士を接合手段２１，２２によって突き合わせ状に接合させた状態を示しており、また、図６は、図５と構成の一部を異ならせる接合手段２１，２２により隣り合うプレート体１０の接合端１４同士を突き合わせ状に接合させた状態を示している。
【００２３】
また、図７は、隣り合うプレート体１０の接合端１４同士の接合に用いられるパイプ状部１３に入れ込まれる連結棒状体１３ａの構成を理解しやすいように隣り合うプレート体１０の接合端１４とこの連結棒状体１３ａとを分離した状態で表している。
【００２４】
また、図８は、プレート体１０の端末、すなわち、接合端１４となる箇所ではあるがプレート体１０の設置状態において隣り合うプレート体１０が不要となる端部１６に側方より嵌めつけられてこの端部１６を地盤Ｊに支持する端部アンカー３０の構成を理解しやすいようにこの端部アンカー３０とプレート体１０の前記端部１６とを分離した状態で表している。また、図９から図１１は、この端部アンカー３０をそれぞれ示している。
【００２５】
また、図１２から図１４は、プレート体１０の固定用差込部１１に上方から差し込まれて地盤Ｊに打ち込まれるアンカー体４０をそれぞれ示している。
【００２６】
また、図１５ないし図１７は、見切材１の典型的な設置手順を理解しやすいように表した構成図であり、図１５から図１６、図１６から図１７の順に進行する。
【００２７】
この実施の形態にかかる芝生の見切材１は、芝の植え込み領域Ｃとアスファルト舗装領域Ｆとを仕切る用途、すなわち、両領域Ｃ，Ｆの見切りに用いるのに適したものである。
【００２８】
すなわち、かかる見切材１は、土壌Ｄに埋め込まれて前記二つの領域Ｃ，Ｆを仕切る二枚以上の金属製プレート体１０を主体として構成されている。
【００２９】
かかるプレート体１０は、図１５に示されるように、このプレート体１０の下部縁部１５を地盤Ｊに埋め込ませるようにして、地盤Ｊに設置される。また、かかるプレート体１０は、このプレート体１０に設けられた固定用差込部１１に対し、上方よりアンカー体４０を入れ込むと共に、このアンカー体４０の下部側４２を地盤Ｊに打ち込むことにより、所望の仕切位置に安定的に設置されるものとしてある。
【００３０】
典型的には、かかる芝生の見切材１は、
（１）アスファルト舗装領域Ｆとなる地盤Ｊと、芝の植え込み領域Ｃとなる地盤Ｊとの仕切位置に、前記のように先ず設置される。（図１５）
（２）次いで、このように設置された金属製プレート体１０における芝の植え込み領域Ｃ側にある地盤Ｊ上にプレート体１０の上部縁部１２とほぼ同じレベルまで芝の植え込み土壌Ｄを盛る。（図１６）
（３）この後、このように設置された金属製プレート体１０におけるアスファルト舗装領域Ｆ側の地盤Ｊに砕石Ｋ（クラッシャー等と称される。）を敷き、転圧し、さらに、このように敷かれて転圧された砕石Ｋ上にアスファルトＨを敷き、このように敷かれたアスファルトＨ舗装面がプレート体１０の上部縁部１２とほぼ同じレベルとなるまで転圧をすることにより、プレート体１０によってアスファルト舗装領域Ｆと芝の植え込み領域Ｃとを見切るように用いられる。（図１７）
すなわち、かかるプレート体１０によって、芝の植え込み領域Ｃ側からアスファルト舗装領域Ｆ側への芝Ｓの根Ｎの入り込みを生じさせないように、両領域Ｃ，Ｆを見切るように用いられるものである。
【００３１】
また、芝Ｓの育成に必要な土壌厚は１００ｍｍから１５０ｍｍとされ、その根Ｎも同じ深さに分布する。一方、アスファルトＨ舗装は、アスファルトＨ部分の厚さが３０ｍｍから５０ｍｍ、転圧前で５０ｍｍから１００ｍｍであることから、見切材１を構成する金属製プレート体１０の高さ寸法は、１００ｍｍから２００ｍｍの範囲のものとすることが最適である。
【００３２】
また、この見切材１を構成するプレート体１０は、金属製であることから、アスファルトＨ舗装時における熱によって、溶融変形などを生ずることがなく、前記両領域Ｃ，Ｆの見切を適切になすことができる。
【００３３】
また、この見切材１を構成するプレート体１０は金属製とされていることから、プレート体１０の一面側を湾曲内側とするように湾曲変形させた状態で前記両領域Ｃ，Ｆを見切るように設置させることができ、これにより、たとえば、道路などのカーブ部分などにおけるアスファルト舗装領域Ｆと芝の植え込み領域Ｃとの見切にも支障なく用いることができる。
【００３４】
また、この見切材１を構成する金属製プレート体１０をステンレス製としておくことがこの金属製プレート体１０の腐食による経年変化を生じさせない観点から、最適である。
【００３５】
より具体的には、この実施の形態にかかる芝生の見切材１は、
（１）二枚以上の長尺の金属製プレート体１０と、
（２）隣り合うプレート体１０を上下方向に沿った接合端１４を他方のプレート体１０の接合端１４に突き合わせるようにして接合させる接合手段２１，２２を有している。
【００３６】
（金属製プレート体１０）
図１から図５に示される例にあっては、金属製プレート体１０は、長尺の板状をなすように構成されている。
【００３７】
かかる金属製プレート体１０には、前記アンカー体４０の固定用差込部１１がこの金属製プレート体１０の長さ方向において複数箇所に備えられている。
【００３８】
図１から図５に示される例にあっては、この複数箇所の固定用差込部１１は、それぞれ、上下で開放され、かつ、左右に上下方向に沿った内壁１１ｂを備えている。
【００３９】
典型的には、この固定用差込部１１は、金属製プレート体１０の上部側及び下部側にそれぞれスリット１１ａ，１１ａを設けると共に、この二つのスリット１１ａ，１１ａに挟まれた金属製プレート体１０の一部をプレスすることで形成することができる。
【００４０】
また、この図１から図５に示される例にあっては、この固定用差込部１１は、プレート体１０の長さ方向において隣り合う固定用差込部１１との間にほぼ等しい間隔を開けるように設けられている。
【００４１】
また、プレート体１０の両端部１６，１６には、前記接合手段２１，２２を構成する接合用差込部材２２の脚部２４が上方から入れ込まれる接合用被差込部２１が設けてある。
【００４２】
図１から図５に示される例にあっては、この接合用被差込部２１は、プレート体１０の接合端１４側に形成されると共に、上下で開放され、かつ、左右に上下方向に沿った内壁２１ａを備えている。
【００４３】
典型的には、この接合用被差込部２１も、金属製プレート体１０の上部側及び下部側にそれぞれスリット２１ｂを設けると共に、この二つのスリット２１ｂ，２１ｂに挟まれた金属製プレート体１０の一部をプレスすることで形成することができる。
【００４４】
また、図１から図５に示される例にあっては、金属製プレート体１０の上下縁部１２，１５がそれぞれ、この上下縁部１２，１５にパイプ状部１３を有するように丸め加工されていると共に、連結棒状体１３ａの一端側を隣り合う金属製プレート体１０の一方のパイプ状部１３に入れ込ませ、かつ、他端側を隣り合う金属製プレート体１０の他方パイプ状部１３に入れ込ませて、隣り合う金属製プレート体１０同士を前記接合端１４において連結させ合わせるようにしてある。
【００４５】
具体的には、図１から図５に示される例にあっては、パイプ状部１３はプレート体１０の上下縁部１２，１５においてその長さ方向にわたって形成されている。
【００４６】
また、前記連結棒状体１３ａは、このパイプ状部１３に入れ込み可能な径の丸棒状をなすように構成されている。
【００４７】
これにより、この図１から図５に示される例にあっては、前記のように形成されるパイプ状部１３によってプレート体１０の上下縁部１２，１５にアール面を形成させてこのプレート体１０の設置作業時におけるこのプレート体１０の掴み持ちや取り回しを行いやすくすることができると共に、プレート体１０自体の剛性を高めることができる。また、プレート体１０の湾曲施工時においては、所望の円弧に沿って歪みなくプレート体１０を湾曲させやすくできる。
【００４８】
また、前記のように隣り合うプレート体１０の接合端１４において隣り合うプレート体１０，１０のそれぞれのパイプ状部１３，１３に入れ込まれる連結棒状体１３ａによって、隣り合うプレート体１０，１０の接合端１４同士が上下に位置づれして接合されたり、前後に位置づれして接合されたりしないようにすることができると共に、この連結棒状体１３ａの支持により、このように接合し合わされる接合端１４部分を含んで全体として歪みなくプレート体１０を湾曲状態で設置することができる。
【００４９】
（接合手段２１，２２）
図１から図５に示される例にあっては、接合手段２１，２２は、前記金属製プレート体１０に設けた接合用被差込部２１と、この接合用被差込部２１にそれぞれ上方より差し込まれる一対の脚部２４，２４を一体に備えた接合用差込部材２２とから構成されている。
【００５０】
かかる接合用差込部材２２は、少なくともこの一対の脚部２４，２４の一方における上下方向にある縁部であって他方の脚部２４側にある縁部２４ａを、上方に向かうに連れて他方の脚部２４側に近付けるように傾斜させた傾斜縁部２４ｂとしている。
【００５１】
具体的には、この図１から図５に示される例にあっては、かかる接合用差込部材２２は幅広の両面を備えた板状をなすように構成されている。
【００５２】
また、この接合用差込部材２２は、上部連結体２３と、この上部連結体２３との左右両端からそれぞれ下方に突き出される脚部２４，２４によってコ字状の外観を呈するように構成されている。
【００５３】
また、上部連結体２３の上縁部２３ａには、この上縁部２３ａに沿って接合用差込部材２２の一面側に向けて突き出す屈曲部２３ｂが形成されており、この屈曲部２３ｂの上面２３ｃを利用して、この屈曲部２３ｂの突き出し側と反対の面をプレート体１０の一面に向き合わせる向きで隣り合うプレート体１０，１０の一方の接合用被差込部２１に脚部２４の一方を上方から入れ込み、かつ、隣り合うプレート体１０，１０の他方の接合用被差込部２１に脚部２４の他方を上方から入れ込ませた状態からのこの接合用差込部材２２の下方への押し込み操作を容易に行えるようにしてある。
【００５４】
また、この図１から図５に示される例にあっては、接合用差込部材２２を構成する一対の脚部２４，２４の双方が、上下方向にある縁部であって他方の脚部２４側にある縁部２４ａを、上方に向かうに連れて他方の脚部２４側に近付けるように傾斜させた傾斜縁部２４ｂとするようにしてある。
【００５５】
これにより、この図１から図５に示される見切材１にあっては、隣り合うプレート体１０，１０を互いに接合端１４を突き合わせるようにそれぞれの下部縁部１５を地盤Ｊに打ち込ませた後、隣り合うプレート体１０の一方の接合用被差込部２１に接合用差込部材２２の脚部２４の一方を上方から入れ込み、かつ、隣り合うプレート体１０，１０の他方の接合用被差込部２１にこの接合用差込部材２２の脚部２４の他方を上方から入れ込ませ、この状態からこの接合用差込部材２２を下方に押し込むことによって、前記接合用被差込部２１の上下方向に沿った内壁２１ａの一方に摺接されるそれぞれの脚部２４，２４の傾斜縁部２４ｂにより隣り合うプレート体１０，１０の接合端１４を引き寄せ合わせて密着させることができる。
【００５６】
この結果、隣り合うプレート体１０の接合端１４間を通じたアスファルト舗装領域Ｆ側への芝の植え込み領域Ｃ側からの芝Ｓの根Ｎの入り込みをできる限り生じさせない状態での複数のプレート体１０，１０の設置をなすことができる。
【００５７】
なお、図６に示されるように、接合用差込部材２２を構成する脚部２４が前記接合用被差込部２１に差し入れられると共に、さらに、地盤Ｊに打ち込まれる長さを持つようにしてあってもよい。
【００５８】
かかる構成によれば、前記アンカー体４０だけでなく接合用差込部材２２によっても金属製プレート体１０を地盤Ｊにしっかりと固定することができる。
【００５９】
（アンカー体４０）
前記アンカー体４０は、この実施の形態にあっては、プレート体１０に設けられた固定用差込部１１に上方から差し込まれて地盤Ｊに打ち込まれる長さを持つように構成されている。
【００６０】
具体的には、この例にあっては、このアンカー体４０は細長い板状をなしており、また、その上部側４１から下部側４２に向けて次第に左右方向の幅を狭めるくさび状をなすように構成されている。
【００６１】
また、かかるアンカー体４０の上縁部４３には、この上縁部４３に沿ってアンカー体４０の一面側に向けて突き出す屈曲部４３ａが形成されており、この屈曲部４３ａの上面４３ｂを利用して、この屈曲部４３ａの突き出し側と反対の面をプレート体１０の一面に向き合わせる向きで固定用差込部１１にアンカー体４０を上方から入れ込ませた状態からのこのアンカー体４０の下方への打ち込み操作を容易に行えるようにしてある。
【００６２】
（金属製プレート体１０の端部１６処理手段）
この実施の形態にあっては、金属製プレート体１０の端末、すなわち、前記接合手段２１，２２によって接合され合わせられていない金属製プレート体１０の端部１６は、図８ないし図１１に示されるようにアンカー体４０としての機能を兼ね備えた端部アンカー３０によってこの端部１６をカバーさせた状態で地盤Ｊに固定するようにしてある。
【００６３】
具体的には、この実施の形態にあっては、この端部アンカー３０は、下端側３１を地盤Ｊへの打ち込み部とすると共に、横断面形状をコ字状とするように構成されている。
【００６４】
また、この端部アンカー３０の上下方向ほぼ中程の位置には、前記コ字状の断面形状を形作る両側面部の突き出し端縁をそれぞれ連接屈曲部３２として端部アンカー３０の内側に折り込まれた挟持片３２ａが設けられており、この一対の挟持片３２ａ，３２ａ間を弾性的に押し広げさせるようにして、この端部アンカー３０の前記コ字状をなす断面の開放側よりプレート体１０の端末１６を受け入れるようにしてある。
【００６５】
典型的には、プレート体１０をその下部縁部１５を地盤Ｊに打ち込ませて設置した後、このように設置されたプレート体１０における地盤Ｊからの突き出し部分にある端部１６を端部アンカー３０の内側に入れ込ませた状態から、この端部アンカー３０を地盤Ｊに打ち込むことにより前記一対の挟持片３２ａ，３２ａによってこの端部１６を挟みつけた状態でこの端部１６においてもプレート体１０を地盤Ｊにしっかりと固定するようにしてある。
【００６６】
【発明の効果】
この発明における芝生の見切材によれば、芝生の見切りに際して、金属製のプレート体によって、芝の植え込み領域側からアスファルト舗装領域側への芝の根の入り込みを生じさせないように、両領域を見切ることができる。
【図面の簡単な説明】
【図１】実施の形態にかかる見切材１を構成する金属製プレート体１０の正面図
【図２】同金属製プレート体１０の右側面図
【図３】図２におけるＡ−Ａ線断面図
【図４】実施の形態にかかる見切材１を構成する金属製プレート体１０の接合用被差込部２１の形成部分を拡大して示す正面図
【図５】実施の形態にかかる隣り合うプレート体１０の接合端１４同士を接合手段２１，２２によって突き合わせ状に接合させた状態を示す正面構成図
【図６】実施の形態にかかる隣り合うプレート体１０，１０の接合端１４同士を図５に示される接合手段２１，２２と構成の一部を異ならせた接合手段２１，２２によって突き合わせ状に接合させた状態を示す正面構成図
【図７】見切材１を構成する隣り合うプレート体１０，１０の接合端１４を分離した状態を示した斜視構成図
【図８】見切材１を構成する端部アンカー３０とプレート体１０の端末１６とを分離した状態を示した斜視構成図
【図９】見切材１を構成する端部アンカー３０を挟持片３２ａの形成側から見て示した側面図
【図１０】同端部アンカー３０を図９と異なる向きから見て示した側面図
【図１１】同端部アンカー３０の平面構成図
【図１２】見切材１を構成するアンカー体４０の側面図
【図１３】同アンカー体４０を図１２と異なる向きから見て示した側面図
【図１４】同アンカー体４０の平面図
【図１５】この実施の形態にかかる芝生の見切材１の使用状態を示した構成図
【図１６】この実施の形態にかかる芝生の見切材１の使用状態を示した構成図
【図１７】この実施の形態にかかる芝生の見切材１の使用状態を示した構成図
【符号の説明】
１      見切材
１０    プレート体
１１    固定用差込部
１１ｂ  内壁
１３    パイプ状部
１３ａ  連結棒状体
１４    接合端
２１ａ  内壁
２１    接合用被差込部
２２    接合用差込部材
２３    上部連結体
２４    脚部
２４ａ  縁部
２４ｂ  傾斜縁部
４０    アンカー体
Ｊ      地盤
Ｃ      芝の植え込み領域
Ｆ      アスファルト舗装領域
Ｄ      土壌
【図１】
0003878455.tif 000002
【図２】
0003878455.tif 000003
【図３】
0003878455.tif 000004
【図４】
0003878455.tif 000005
【図５】
0003878455.tif 000006
【図６】
0003878455.tif 000007
【図７】
0003878455.tif 000008
【図８】
0003878455.tif 000009
【図９】
0003878455.tif 000010
【図１０】
0003878455.tif 000011
【図１１】
0003878455.tif 000012
【図１２】
0003878455.tif 000013
【図１３】
0003878455.tif 000014
【図１４】
0003878455.tif 000015
【図１５】
0003878455.tif 000016
【図１６】
0003878455.tif 000017
【図１７】
0003878455.tif 000018